(57)【要約】【課題】タッチパネルを掃除する前に所定の入力操作を行わずにタッチパネルの掃除を行う。【解決手段】本発明にかかる情報処理装置１は、タッチパネル１００と、タッチパネル１００への押下ポイントを検出する検出手段１０２と、検出手段１０２で検出した押下ポイントが周期的な動きをしている場合に、タッチパネル１００への押下操作を無効にする制御手段１０３と、を有する。【選択図】図２
2016157335.tif 000002
【特許請求の範囲】
【請求項１】
タッチパネルと、
前記タッチパネルへの押下ポイントを検出する検出手段と、
前記検出手段で検出した押下ポイントが周期的な動きをしている場合に、前記タッチパネルへの押下操作を無効にする制御手段と、
を有することを特徴とする情報処理装置。
【請求項２】
前記制御手段は、前記検出手段で検出した複数の押下ポイントがそれぞれ周期的な動きをしている場合に、前記タッチパネルへの押下操作を無効にする、ことを特徴とする請求項１記載の情報処理装置。
【請求項３】
前記制御手段は、前記検出手段で検出した複数の押下ポイント同士を繋いで構成する領域が所定の値以上であり、且つ、前記領域が周期的な動きをしている場合に、前記タッチパネルへの押下操作を無効にする、ことを特徴とする請求項１記載の情報処理装置。
【請求項４】
タッチパネルと、
前記タッチパネルへの押下ポイントを検出する検出手段と、
前記検出手段で検出した複数の押下ポイントが前記タッチパネルの所定の範囲内に存在している場合に、前記タッチパネルへの押下操作を無効にする制御手段と、
を有することを特徴とする情報処理装置。
【請求項５】
前記制御手段は、所定の範囲内に存在した前記複数の押下ポイントがそれぞれ周期的な動きをしている場合に、前記タッチパネルへの押下操作を無効にする、ことを特徴とする請求項４記載の情報処理装置。
【請求項６】
前記制御手段は、所定の範囲内に存在した前記複数の押下ポイントがそれぞれ周期的な動きをしていない場合は、前記タッチパネルへの押下操作を無効にせず、前記検出手段で検出した複数の押下ポイントに基づく制御を実行する、ことを特徴とする請求項４または５記載の情報処理装置。
【請求項７】
タッチパネルへの押下ポイントを検出する検出処理と、
前記検出処理で検出した押下ポイントが周期的な動きをしている場合に、前記タッチパネルへの押下操作を無効にする制御処理と、をコンピュータに実行させることを特徴とするプログラム。
【請求項８】
タッチパネルへの押下ポイントを検出する検出処理と、
前記検出処理で検出した複数の押下ポイントが所定の範囲内に存在している場合に、前記タッチパネルへの押下操作を無効にする制御処理と、をコンピュータに実行させることを特徴とするプログラム。
【発明の詳細な説明】
【技術分野】
【０００１】
本発明は、情報処理装置に関する。
【背景技術】
【０００２】
近年、スマートフォン、タブレットなどのタッチパネルが搭載された情報処理装置が普及している。この種の情報処理装置は、タッチパネルが汚れてしまう。このため、タッチパネルを掃除する必要がある。しかし、タッチパネルを指や布などで拭いた場合は、その拭いた時の操作を情報処理装置が検出し誤動作してしまう場合がある。
【０００３】
このため、例えば、特許文献１（特開２００４−３３４７６２号公報）には、タッチパネルを掃除する際に電源を遮断することなく、また、タッチパネル以外に別にスイッチ等の機構を設けることなく簡易な構成で、掃除による誤動作を防止する技術が開示されている。
【０００４】
特許文献１では、タッチパネルの入力を無効とすることを案内する案内情報を表示部に表示し、その表示部に表示された案内情報に位置するタッチパネルからの入力を検出した場合に、タッチパネルからの入力検出を無効にしている。
【発明の概要】
【発明が解決しようとする課題】
【０００５】
しかし、特許文献１の技術では、タッチパネルを掃除する前に表示部に表示された案内情報に対する所定の入力操作を行う必要がある。
【０００６】
本発明の目的は、タッチパネルを掃除する前に所定の入力操作を行わずにタッチパネルの掃除を行うことである。
【課題を解決するための手段】
【０００７】
本発明にかかる情報処理装置は、
タッチパネルと、
前記タッチパネルへの押下ポイントを検出する検出手段と、
前記検出手段で検出した押下ポイントが周期的な動きをしている場合に、前記タッチパネルへの押下操作を無効にする制御手段と、
を有することを特徴とする。
【発明の効果】
【０００８】
本発明の一態様によれば、タッチパネルを掃除する前に所定の入力操作を行わずにタッチパネルの掃除を行うことができる。
【図面の簡単な説明】
【０００９】
【図１】本実施形態の情報処理装置の構成例を示す図である。
【図２】タッチパネルの押下ポイントを説明するための図である。
【図３】第１の実施形態の情報処理装置の処理動作例を示す図である。
【図４】第１の実施形態で掃除モードに移行する操作例を示す図である。
【図５】第２の実施形態で掃除モードに移行する操作例を示す図である。
【図６】第２の実施形態の情報処理装置の処理動作例を示す図である。
【図７】第３の実施形態で掃除モードに移行する操作例を示す図である。
【図８】第３の実施形態の情報処理装置の処理動作例を示す図である。
【図９】第４の実施形態で掃除モードに移行する操作例を示す図である。
【図１０】第４の実施形態の情報処理装置の処理動作例を示す図である。
【図１１】第５の実施形態で掃除モードに移行する操作例を示す図である。
【図１２】第５の実施形態の情報処理装置の処理動作例を示す図である。
【図１３】第６の実施形態で掃除モードに移行する操作例を示す図である。
【図１４】第６の実施形態の情報処理装置の処理動作例を示す図である。
【発明を実施するための形態】
【００１０】
（本発明の一態様にかかる情報処理装置の実施形態の概要）
まず、図１を参照しながら、本発明の一態様にかかる情報処理装置の概要について説明する。図１は、本発明の一態様にかかる情報処理装置１の構成例を示す図である。
【００１１】
本発明の一態様にかかる情報処理装置１は、タッチパネル１００、検出手段１０２、制御手段１０３を有して構成する。検出手段１０２は、押下ポイント検出部１０２に相当する。制御手段１０３は、制御部１０３に相当する。
【００１２】
検出手段は、タッチパネル１００への押下ポイントを検出する。
【００１３】
制御手段は、検出手段で検出した押下ポイントが周期的な動きをしている場合に、タッチパネル１００への押下操作を無効にする。
【００１４】
本発明の一態様にかかる情報処理装置１は、検出手段で検出した押下ポイントが周期的な動きをしている場合に、タッチパネル１００への押下操作を無効にする。これにより、タッチパネル１００を掃除する前に所定の入力操作を行わずにタッチパネル１００の掃除を行うことができる。以下、添付図面を参照しながら、本発明の一態様にかかる情報処理装置１について詳細に説明する。
【００１５】
（第１の実施形態）
＜情報処理装置１の構成例＞
まず、図１を参照しながら、本実施形態の情報処理装置１の構成例について説明する。図１は、本実施形態の情報処理装置１の構成例を示す図である。
【００１６】
本実施形態の情報処理装置１は、タッチパネル１００、表示部１０１、押下ポイント検出部１０２、制御部１０３、表示制御部１０４を有して構成する。本実施形態の情報処理装置１は、スマートフォン、タブレットなどのタッチパネルが搭載されたあらゆる装置があげられる。
【００１７】
タッチパネル１００は、情報処理装置１への各種操作を可能にするものであり、表示部１０１上に設けられる。表示部１０１は、各種情報を表示する。
【００１８】
押下ポイント検出部１０２は、タッチパネル１００を押下手段２により押下した際にその押下ポイントを検出すると共に、その押下ポイントに対応する表示部１０１の表示内容を入力内容として検出する。押下手段２は、タッチパネル１００を操作する際に使用するものであり、情報処理装置１を操作するユーザの指やスタイラスペンなどがあげられる。
【００１９】
制御部１０３は、押下ポイント検出部１０２で検出した押下ポイント及び入力内容に従って各種の制御を行う。例えば、押下ポイント検出部１０２で検出した押下ポイント及び入力内容に従った表示命令を表示制御部１０４に出力し、表示制御部１０４は、制御部１０３から出力された表示命令に基づいて表示部１０１に情報を表示する。
【００２０】
また、本実施形態の制御部１０３は、押下ポイント検出部１０２で検出した押下ポイントが周期的な動きをしているか否かを判定し、押下ポイントが周期的な動きをしている場合は、掃除モードに移行し、タッチパネル１００への押下操作に基づく制御を無効にする。
【００２１】
タッチパネル１００の押下領域を例えば図２に示すように、１０行、１２列の１２０個の検出点（x,y）に設定したとする。この場合、１２０個の検出点（x,y）は、1≦x≦12,1≦y≦10となる。図２は、タッチパネル１００の押下ポイントを説明する図である。図２に示す構成の場合、タッチパネル１００を押圧手段２で押下すると、押下ポイント検出部１０２は、検出点（x,y）を押下ポイントとして検出することになる。これにより、押下ポイント検出部１０２は、例えば、（2,6）→(2,7)→(2,8)→(2,7)→(2,6)→(2,5)→(2,4)のような順番で押下ポイントを検出することができる。
【００２２】
制御部１０３は、押下ポイント検出部１０２で検出した押下ポイント（x,y）のxかyのどちらか一方の値が固定の状態でもう片方の値が３点以上連続した値のパターンがあり、そのパターンの往復動作が所定回数（例えば、２回）以上ある場合に、押下ポイント検出部１０２で検出した押下ポイントが周期的な動きをしていると判定する。例えば、押下ポイント検出部１０２で検出した押下ポイント（x,y）が以下の順番であった場合は、押下ポイントが周期的な動きをしていると判定する。以下の順番は、xの値が固定の状態でyの値が３点以上連続した値のパターンがあり、そのパターンの往復動作が２回以上ある場合を示している。
【００２３】
(2,6)→(2,7)→(2,8)→(2,7)→(2,6)→(2,5)→(2,4)→(2,5)→(2,6)→(2,7)→(2,8)→(2,9)→(2,8)→(2,7)→(2,6)→(2,5)→(2,4)
【００２４】
これにより、制御部１０３は、押下ポイント検出部１０２で検出した押下ポイントの座標位置（x,y）を基に、押下ポイントが周期的な動きをしているか否かを判定することができる。なお、制御部１０３は、押下ポイント検出部１０２で検出した押下ポイントが周期的な動きをしている場合は、掃除モードに移行し、タッチパネル１００への押下操作に基づく制御を無効にする。また、周期的な動きをしていない場合は、掃除モードに移行せず、押下ポイント検出部１０２で検出した押下ポイントに基づく制御を実行する。
【００２５】
＜情報処理装置１の処理動作例＞
次に、図３を参照しながら、本実施形態の情報処理装置１の処理動作例について説明する。
【００２６】
押下手段２でタッチパネル１００を押下すると、押下ポイント検出部１０２がタッチパネル１００の押下ポイントを検出する。押下ポイント検出部１０２がタッチパネル１００の押下ポイントを検出すると（ステップＳ１／Ｙｅｓ）、制御部１０３は、押下ポイント検出部１０２で検出した押下ポイントが周期的な動きをしているか否かを判定する（ステップＳ２）。
【００２７】
押下ポイント検出部１０２で検出した押下ポイントが周期的な動きをしている場合は（ステップＳ２／Ｙｅｓ）、掃除モードに移行し、タッチパネル１００への押下操作に基づく制御を無効にする（ステップＳ３）。これにより、図４に示すように、押下ポイント検出部１０２で検出した押下ポイントが周期的な動作をしている場合は、掃除モードに移行し、そのタッチパネル１００への押下操作に基づく制御を無効にすることになる。その結果、タッチパネル１００を掃除しても誤動作しないことになる。また、タッチパネル１００を掃除する前に所定の入力操作を行わずに、タッチパネル１００を掃除することができる。
【００２８】
次に、制御部１０３は、タッチパネル１００への押下操作が継続中か否かを判定する（ステップＳ４）。制御部１０は、タッチパネル１００への押下操作が継続しなくなった場合に（ステップＳ４／Ｎｏ）、通常モードに移行し、タッチパネル１００への押下操作に基づく制御を有効にし（ステップＳ５）、処理を終了する（Ｅｎｄ）。タッチパネル１００への押下操作が継続しなくなった場合としては、押下ポイント検出手段１０２が押下ポイントを所定時間検出しなくなった場合等があげられる。通常モードに移行することで、制御部１０３は、押下ポイント検出部１０２で押下ポイントが検出されると、押下ポイント検出部１０２で検出した入力内容に従って各種の制御を行うことになる。
【００２９】
また、ステップＳ２において、押下ポイントが周期的な動きをしていない場合は（ステップＳ２／Ｎｏ）、掃除モードに移行せず、押下ポイント検出部１０２で検出したタッチパネル１００への押下ポイントに基づく制御を実行する（ステップＳ６）。
【００３０】
＜本実施形態の情報処理装置１の作用・効果＞
このように、本実施形態の情報処理装置１は、押下ポイント検出部１０２で検出した押下ポイントが周期的な動きをしている場合に、掃除モードに移行し、タッチパネル１００への押下操作を無効にする。これにより、タッチパネル１００を掃除する前に所定の入力操作を行わずにタッチパネル１００の掃除を行うことができる。
【００３１】
ユーザがタッチパネル１００の掃除を行う際は、タッチパネル１００を数往復拭くことが想定される。本実施形態の情報処理装置１は、タッチパネル１００への周期的な操作を検出した際に、掃除モードに移行し、タッチパネル１００への押下操作を無効にする。このため、情報処理装置１は、タッチパネル１００を数往復拭く操作を検出することで、掃除モードに移行し、タッチパネル１００への押下操作を無効にすることができる。その結果、タッチパネル１００を掃除する前に所定の入力操作を行わずにタッチパネル１００の掃除を行うことができる。
【００３２】
（第２の実施形態）
次に、第２の実施形態について説明する。
【００３３】
第１の実施形態では、押下ポイント検出部１０２で検出した１つの押下ポイントが周期的な動きをしているか否かを判定し、周期的な動きをしている場合に、掃除モードに移行し、タッチパネル１００への押下操作を無効にしている。但し、１つの押下ポイントが周期的な動きをしているか否かを判定すると、フリック操作等も周期的な動きをしていると判定してしまう場合がある。その結果、本来はフリック操作等のタッチパネル１００への操作を行っているにもかかわらず、掃除モードに移行してしまう可能性がある。
【００３４】
第２の実施形態では、図５に示すように、複数の押下ポイントがすべて周期的な動きをしているか否かを判定し、複数の押下ポイントがすべて周期的な動きをしている場合に、掃除モードに移行する。これにより、フリック操作等を行っても掃除モードに移行しないようにすることができる。以下、添付図面を参照しながら、本実施形態の処理動作例について説明する。なお、本実施形態の情報処理装置の構成は、図１に示す第１の実施形態と同様であるため、説明を省略する。また、本実施形態において第１の実施形態と同様の処理については説明を省略する。
【００３５】
本実施形態では、図６に示すように、押下ポイント検出部１０２がタッチパネル１００の押下ポイントを複数検出すると（ステップＳ２０／Ｙｅｓ）、制御部１０３は、押下ポイント検出部１０２で検出した複数の全ての押下ポイントが周期的な動きをしているか否かを判定する（ステップＳ２１）。
【００３６】
押下ポイント検出部１０２で検出した複数の全ての押下ポイントが周期的な動きをしている場合は（ステップＳ２１／Ｙｅｓ）、掃除モードに移行し、タッチパネル１００への押下操作に基づく制御を無効にする（ステップＳ３）。また、全ての押下ポイントが周期的な動きをしていない場合は（ステップＳ２１／Ｎｏ）、掃除モードに移行せず、押下ポイント検出部１０２で検出したタッチパネル１００への押下ポイントに基づく制御を実行する（ステップＳ６）。これにより、掃除モードに移行するか否かを精度良く判定することができる。その結果、フリック操作等を行っても掃除モードに移行しないようにすることができる。
【００３７】
なお、上記の処理動作例では、押下ポイント検出部１０２で検出した複数の全ての押下ポイントが周期的な動きをしているか否かを判定した。しかし、押下ポイント検出部１０２で検出した所定数（例えば、２点）以上の押下ポイントが周期的な動きをしているか否かを判定するようにしても良い。例えば、押下ポイント検出部１０２で検出した２点以上の押下ポイントが周期的な動きをしている場合に、掃除モードに移行するようにしても良い。この場合も、掃除モードに移行するか否かを複数の押下ポイントの動作で判定するため、第１の実施形態よりも精度良く判定することができる。
【００３８】
（第３の実施形態）
次に、第３の実施形態について説明する。
【００３９】
第１、第２の実施形態では、押下ポイント検出部１０２で検出した押下ポイントが周期的な動きをしているか否かを判定した。しかし、周期的な動きをしているか否かを判定する方法では、周期的な動作を認識するまで時間がかかってしまうことになる。
【００４０】
第３の実施形態では、図７に示すように、押下ポイント検出部１０２で検出した複数の押下ポイントが全てタッチパネル１００の所定の範囲内に存在している場合に、掃除モードに移行し、タッチパネル１００への押下操作に基づく制御を無効にする。これにより、短時間で掃除モードに移行するか否かを判定することができる。以下、添付図面を参照しながら、本実施形態の処理動作例について説明する。なお、本実施形態の情報処理装置の構成は、図１に示す第１の実施形態と同様であるため、説明を省略する。
【００４１】
本実施形態では、押下ポイント検出部１０２で検出した複数の押下ポイントが全てタッチパネル１００の所定の範囲内に存在しているか否かを判定する。例えば、図２に示す１０行、１２列の１２０個の検出点（x,y）を有するタッチパネル１００において、それぞれの検出点を図７に示すように２×２の領域に分割する。図７では、タッチパネル１００の検出点を４つの領域に分割している。これにより、タッチパネル１００の検出点（x,y）を、1≦x≦6,1≦y≦5、7≦x≦12,1≦y≦5、1≦x≦6,6≦y≦10、７≦x≦12,6≦y≦10の４つの領域に分割することになる。そして、押下ポイント検出部１０２で検出した複数の押下ポイントが分割した何れかの領域内に全て存在している場合に、掃除モードに移行し、タッチパネル１００への押下操作に基づく制御を無効にする。これにより、短時間で掃除モードに移行するか否かを判定することができる。
【００４２】
具体的には、図８に示すように、押下ポイント検出部１０２がタッチパネル１００の押下ポイントを複数検出すると（ステップＳ２０／Ｙｅｓ）、制御部１０３は、押下ポイント検出部１０２で検出した複数の押下ポイントが全てタッチパネル１００の所定の範囲内に存在しているか否かを判定する（ステップＳ３０）。
【００４３】
押下ポイント検出部１０２で検出した複数の押下ポイントが全てタッチパネル１００の所定の範囲内に存在している場合は（ステップＳ３０／Ｙｅｓ）、掃除モードに移行し、タッチパネル１００への押下操作に基づく制御を無効にする（ステップＳ３）。また、押下ポイントが全てタッチパネル１００の所定の範囲内に存在していない場合は（ステップＳ３０／Ｎｏ）、掃除モードに移行せず、押下ポイント検出部１０２で検出したタッチパネル１００への押下ポイントに基づく制御を実行する（ステップＳ６）。
【００４４】
なお、上記の処理動作例では、押下ポイント検出部１０２で検出した複数の押下ポイントが全てタッチパネル１００の所定の範囲内に存在しているか否かを判定した。しかし、押下ポイント検出部１０２で検出した所定数（例えば、５点）以上の押下ポイントが１つの分割された領域内に存在しているか否かを判定するようにしても良い。例えば、押下ポイント検出部１０２で検出した５点以上の押下ポイントが１つの分割された領域内に存在している場合に、掃除モードに移行するようにしても良い。この場合も、掃除モードに移行するか否かを短時間で判定することができる。
【００４５】
（第４の実施形態）
次に、第４の実施形態について説明する。
【００４６】
第４の実施形態は、図９に示すように、押下ポイント検出部１０２で検出した複数の押下ポイントが全てタッチパネル１００の所定の範囲内に存在し、且つ、所定の範囲内に存在した複数の押下ポイントがそれぞれ周期的な動きをしている場合に、掃除モードに移行し、タッチパネル１００への押下操作に基づく制御を無効にする。これにより、第３の実施形態よりも掃除モードに移行するか否かを精度良く判定することができる。以下、添付図面を参照しながら、本実施形態の処理動作例について説明する。なお、本実施形態の情報処理装置の構成は、図１に示す第１の実施形態と同様であるため、説明を省略する。
【００４７】
本実施形態では、図１０に示すように、押下ポイント検出部１０２がタッチパネル１００の押下ポイントを複数検出すると（ステップＳ２０／Ｙｅｓ）、制御部１０３は、押下ポイント検出部１０２で検出した複数の押下ポイントが全てタッチパネル１００の所定の範囲内に存在しているか否かを判定する（ステップＳ３０）。
【００４８】
押下ポイント検出部１０２で検出した複数の押下ポイントが全てタッチパネル１００の所定の範囲内に存在している場合は（ステップＳ３０／Ｙｅｓ）、その所定の範囲内に存在する複数の押下ポイントが周期的な動きをしているか否かを判定する（ステップＳ４０）。
【００４９】
所定の範囲内に存在する複数の押下ポイントが周期的な動きをしている場合は（ステップＳ４０／Ｙｅｓ）、掃除モードに移行し、タッチパネル１００への押下操作に基づく制御を無効にする（ステップＳ３）。また、押下ポイント検出部１０２で検出した複数の押下ポイントが全てタッチパネル１００の所定の範囲内に存在していない場合（ステップＳ３０／Ｎｏ）、所定の範囲内に存在する押下ポイントが周期的な動きをしていない場合は（ステップＳ４０／Ｎｏ）、掃除モードに移行せず、押下ポイント検出部１０２で検出したタッチパネル１００への押下ポイントに基づく制御を実行する（ステップＳ６）。これにより、第３の実施形態よりも掃除モードに移行するか否かを精度良く判定することができる。
【００５０】
（第５の実施形態）
次に、第５の実施形態について説明する。
【００５１】
５の実施形態では、図１１に示すように、押下ポイント検出部１０２で検出した複数の押下ポイント同士を繋いで構成する領域αが所定の値以上である場合に、掃除モードに移行し、タッチパネル１００への押下操作に基づく制御を無効にする。これにより、短時間で掃除モードに移行するか否かを判定することができる。以下、添付図面を参照しながら、本実施形態の処理動作例について説明する。なお、本実施形態の情報処理装置の構成は、図１に示す第１の実施形態と同様であるため、説明を省略する。
【００５２】
本実施形態では、図１２に示すように、押下ポイント検出部１０２がタッチパネル１００の押下ポイントを複数検出すると（ステップＳ２０／Ｙｅｓ）、制御部１０３は、押下ポイント検出部１０２で検出した複数の押下ポイント同士を繋いで構成する領域αが所定の値以上であるか否かを判定する（ステップＳ５０）。
【００５３】
領域αが所定の値以上である場合は（ステップＳ５０／Ｙｅｓ）、掃除モードに移行し、タッチパネル１００への押下操作に基づく制御を無効にする（ステップＳ３）。また、領域αが所定の値以上でない場合は（ステップＳ５０／Ｎｏ）、掃除モードに移行せず、押下ポイント検出部１０２で検出したタッチパネル１００への押下ポイントに基づく制御を実行する（ステップＳ６）。これにより、短時間で掃除モードに移行するか否かを判定することができる。
【００５４】
なお、上記の処理動作例では、押下ポイント検出部１０２で検出した複数の押下ポイント同士を繋いで構成する領域αが所定の値以上であるか否かを判定している。しかし、押下ポイント検出部１０２で検出した複数の押下ポイント同士を繋いで構成する領域αが所定の範囲内に存在しているか否かを判定し、領域αが所定の範囲内に存在している場合に、掃除モードに移行するようにすることも可能である。この場合も、短時間で掃除モードに移行するか否かを判定することができる。
【００５５】
（第６の実施形態）
次に、第６の実施形態について説明する。
【００５６】
第６の実施形態では、図１３に示すように、押下ポイント検出部１０２で検出した複数の押下ポイント同士を繋いで構成する領域αが所定の値以上であり、且つ、その領域αが周期的な動きをしている場合に、掃除モードに移行し、タッチパネル１００への押下操作に基づく制御を無効にする。これにより、第５の実施形態よりも掃除モードに移行するか否かを精度良く判定することができる。以下、添付図面を参照しながら、本実施形態の処理動作例について説明する。なお、本実施形態の情報処理装置の構成は、図１に示す第１の実施形態と同様であるため、説明を省略する。
【００５７】
本実施形態では、図１４に示すように、押下ポイント検出部１０２がタッチパネル１００の押下ポイントを複数検出すると（ステップＳ２０／Ｙｅｓ）、制御部１０３は、押下ポイント検出部１０２で検出した複数の押下ポイント同士を繋いで構成する領域αが所定の値以上であるか否かを判定する（ステップＳ５０）。
【００５８】
領域αが所定の値以上である場合は（ステップＳ５０／Ｙｅｓ）、その領域αが周期的な動きをしているか否かを判定する（ステップＳ６０）。
【００５９】
領域αが周期的な動きをしている場合は（ステップＳ６０／Ｙｅｓ）、掃除モードに移行し、タッチパネル１００への押下操作に基づく制御を無効にする（ステップＳ３）。また、領域αが所定の値以上でない場合（ステップＳ５０／Ｎｏ）、領域αが周期的な動きをしていない場合は（ステップＳ６０／Ｎｏ）、掃除モードに移行せず、押下ポイント検出部１０２で検出したタッチパネル１００への押下ポイントに基づく制御を実行する（ステップＳ６）。これにより、第５の実施形態よりも掃除モードに移行するか否かを精度良く判定することができる。
【００６０】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６１】
例えば、上述した本実施形態の情報処理装置１を構成する各部の制御動作は、ハードウェア、または、ソフトウェア、あるいは、両者の複合構成を用いて実行することも可能である。
【００６２】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００６３】
例えば、プログラムは、記録媒体としてのハードディスクやＲＯＭ（Read Only Memory）に予め記録しておくことが可能である。あるいは、プログラムは、リムーバブル記録媒体に一時的、あるいは、永続的に記録しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００６４】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００６５】
プログラムの形態としては、クラウド等によるネット上のサーバからの利用もありえる。一部のプログラムのみをコンピュータに転送して利用する形態もありえる。
【００６６】
また、上記実施形態の情報処理装置１を構成する各部は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００６７】
１    情報処理装置
２    押下手段
１００    タッチパネル
１０１    表示部
１０２    押下ポイント検出部
１０３    制御部
１０４    表示制御部
【先行技術文献】
【特許文献】
【００６８】
【特許文献１】特開２００４−３３４７６２号公報
【図１】
2016157335.tif 000003
【図２】
2016157335.tif 000004
【図３】
2016157335.tif 000005
【図４】
2016157335.tif 000006
【図５】
2016157335.tif 000007
【図６】
2016157335.tif 000008
【図７】
2016157335.tif 000009
【図８】
2016157335.tif 000010
【図９】
2016157335.tif 000011
【図１０】
2016157335.tif 000012
【図１１】
2016157335.tif 000013
【図１２】
2016157335.tif 000014
【図１３】
2016157335.tif 000015
【図１４】
2016157335.tif 000016